(57)【要約】【課題】意図せず頭髪などの体毛が引っ掛かってしまうことを抑制可能な塗布ブラシを提供する。【解決手段】塗布ブラシ１００は、柄部１０と、柄部１０の先端１０ａから当該柄部１０の延長方向に延出しているブラシ部２０と、を備え、ブラシ部２０は、芯材３０と、芯材３０に支持されていて芯材３０の周囲に突出している毛４０と、を備え、芯材３０は、柄部１０から上記延長方向に延出している延出部３３と、延出部３３の先端部から折り返されて延出部３３と並んで配置されている折り返し部３４と、を含む一繋がりの折り曲げ形状に形成されており、延出部３３と折り返し部３４とのうち折り返し部３４にのみ毛４０が設けられており、毛４０のうち、折り返し部３４から延出部３３に向けて延びている毛４０ａは、延出部３３を超えない長さに設定されている。【選択図】図１
2018099208.tif 000002
【特許請求の範囲】
【請求項１】
柄部と、前記柄部の先端から当該柄部の延長方向に延出しているブラシ部と、を備える塗布ブラシであって、
前記ブラシ部は、芯材と、前記芯材に支持されていて前記芯材の周囲に突出している毛と、を備え、
前記芯材は、前記柄部から前記延長方向に延出している延出部と、前記延出部の先端部から折り返されて前記延出部と並んで配置されている折り返し部と、を含む一繋がりの折り曲げ形状に形成されており、
前記延出部と前記折り返し部とのうち前記折り返し部にのみ前記毛が設けられており、
前記毛のうち、前記折り返し部から前記延出部に向けて延びている毛は、前記延出部を超えない長さに設定されている塗布ブラシ。
【請求項２】
前記毛のうち、前記折り返し部から前記延出部に向けて延びている毛は、他の向きに延びている毛と比べて短い請求項１に記載の塗布ブラシ。
【請求項３】
前記延出部は、直線形状の第１直線部と、前記第１直線部の先端側に位置する屈曲形状の第１屈曲部と、を含み、
前記折り返し部は、前記第１直線部から離間しているとともに前記第１直線部と並んで配置されており且つ前記毛が設けられている直線形状の第２直線部と、前記第２直線部の先端側に位置する屈曲形状の第２屈曲部と、を含み、
前記柄部の軸線の延長線と前記第１直線部との距離が、前記延長線と前記第２直線部との距離よりも短い請求項１又は２に記載の塗布ブラシ。
【請求項４】
前記第１直線部が前記柄部の延長上に配置されている請求項３に記載の塗布ブラシ。
【請求項５】
使用者に把持される把持部と、
前記ブラシ部の周方向において前記毛が設けられている側を示す指標部と、
を備え、
前記指標部は、前記把持部において、前記ブラシ部の前記毛が設けられている側に形成されている請求項１から４のいずれか一項に記載の塗布ブラシ。
【請求項６】
前記把持部は、円筒状に形成されており、
前記指標部は、前記把持部の外周面に形成された面取り形状部である請求項５に記載の塗布ブラシ。
【請求項７】
前記延出部は、直線形状の第１直線部と、前記第１直線部の先端側に位置する屈曲形状の第１屈曲部と、を含み、
前記折り返し部は、前記第１直線部から離間しているとともに前記第１直線部と並んで配置されている直線形状の第２直線部と、前記第２直線部の先端側に位置していて前記第２直線部に対して傾斜している傾斜部と、前記傾斜部の先端側に位置する屈曲形状の第２屈曲部と、を含み、
前記第２直線部と前記傾斜部とにそれぞれ前記毛が設けられている請求項１から６のいずれか一項に記載の塗布ブラシ。
【請求項８】
前記折り返し部は、直線形状の第２直線部と、前記第２直線部の先端側に位置する屈曲形状の第２屈曲部と、を含み、
前記第２屈曲部には前記毛が設けられていない請求項１から７のいずれか一項に記載の塗布ブラシ。
【請求項９】
前記芯材は、螺旋状に並進している複数本のワイヤを含んで構成され、
前記毛は、前記複数本のワイヤどうしの間に挟み込まれている請求項１から８のいずれか一項に記載の塗布ブラシ。
【発明の詳細な説明】
【技術分野】
【０００１】
本発明は、塗布ブラシに関する。
【背景技術】
【０００２】
頭髪などの体毛に染毛剤等の塗布剤を塗布する塗布ブラシとしては、Ｕ字状に折り曲げられて先端部がループ形状となっている芯材に毛が設けられることにより構成されたブラシ部を有するものがある（特許文献１）。
【０００３】
また、特許文献２には、直線状の芯材の周囲に毛が突出している構造のブラシ部の両端が、ブラシ支持体の両端部によって回転可能に軸支された構造の塗布ブラシが記載されている。
【先行技術文献】
【特許文献】
【０００４】
【特許文献１】実開昭６２−０６４４０４号公報
【特許文献２】特表２０１４−５２９４１０号公報
【発明の概要】
【発明が解決しようとする課題】
【０００５】
本発明者の検討によれば、特許文献１に記載の塗布ブラシでは、頭髪などの体毛に塗布剤を塗布する際に、ブラシ部に対して体毛が引っ掛かりやすく、したがって、引っ掛かった体毛に塗布剤が意図せず付着しやすい。更には、意図せず塗布剤が付着した体毛から、皮膚などの意図しない部位にまで塗布剤が付着してしまう可能性もある。
【０００６】
また、本発明者の検討によれば、特許文献２に記載の塗布ブラシでも、特許文献１に記載の塗布ブラシと同様の問題がある。特に、ブラシ部がブラシ支持体によって回転可能に軸支されているため、その軸支部に対して、頭髪などの体毛が極めて引っ掛かりやすい。
【０００７】
本発明は、上記の課題に鑑みてなされたものであり、塗布ブラシに対して意図せず頭髪などの体毛が引っ掛かってしまうことを抑制でき、その結果として、意図しない部位に塗布剤が付着してしまうことも抑制可能な塗布ブラシに関する。
【課題を解決するための手段】
【０００８】
本発明は、柄部と、前記柄部の先端から当該柄部の延長方向に延出しているブラシ部と、を備える塗布ブラシであって、
前記ブラシ部は、芯材と、前記芯材に支持されていて前記芯材の周囲に突出している毛と、を備え、
前記芯材は、前記柄部から前記延長方向に延出している延出部と、前記延出部の先端部から折り返されて前記延出部と並んで配置されている折り返し部と、を含む一繋がりの折り曲げ形状に形成されており、
前記延出部と前記折り返し部とのうち前記折り返し部にのみ前記毛が設けられており、
前記毛のうち、前記折り返し部から前記延出部に向けて延びている毛は、前記延出部を超えない長さに設定されている塗布ブラシを提供する。
【発明の効果】
【０００９】
本発明によれば、塗布ブラシに対して意図せず頭髪などの体毛が引っ掛かってしまうことを抑制でき、その結果として、意図しない部位に塗布剤が付着してしまうことも抑制可能である。
【図面の簡単な説明】
【００１０】
【図１】第１実施形態に係る塗布ブラシの正面図である。
【図２】第１実施形態に係る塗布ブラシの正面断面図である。
【図３】第１実施形態に係る塗布ブラシの斜視図である。
【図４】図１のＡ−Ａ線に沿った矢視断面における各部の外形線の位置関係を示す図である。
【図５】第１実施形態に係る塗布用具の正面断面図である。
【図６】第１実施形態に係る塗布ブラシの使用時の動作例を説明するための斜視図である。
【図７】第２実施形態に係る塗布ブラシの拡大正面図である。
【発明を実施するための形態】
【００１１】
以下、本発明の実施形態について、図面を用いて説明する。なお、すべての図面において、同様の構成要素には同一の符号を付し、重複する説明は適宜に省略する。
【００１２】
〔第１実施形態〕
以下においては、本実施形態に係る塗布ブラシ１００の構成要素の位置関係の説明を簡単にするため、図１及び図２における上方向が先端側、下方向が基端側、左方向が前方（前面側）、右方向が後方（背面側）であるものとする。また、図１及び図２における上下方向を先基端方向と称する場合がある。
【００１３】
また、図５に示す塗布用具３００に関しては、構成要素の位置関係の説明を簡単にするため、図５における上方向が上方、下方向が下方であるものとする。ただし、この上下方向は、塗布用具３００、塗布用具３００の容器２００及び塗布用具３００の塗布ブラシ１００の製造時及び使用時における方向を制限するものではない。
【００１４】
また、図２及び図５においては、芯材３０を模式的に示している。
また、図３、図４及び図６においては、複数の毛４０（毛集合体４１）について、複数の毛４０を包絡する領域を模式的に示している。
【００１５】
図１及び図２に示すように、本実施形態に係る塗布ブラシ１００は、柄部１０と、柄部１０の先端１０ａから当該柄部１０の延長方向に延出しているブラシ部２０と、を備えている。ブラシ部２０は、芯材３０と、芯材３０に支持されていて芯材３０の周囲に突出している毛４０と、を備えている。
芯材３０は、柄部１０から上記延長方向に延出している延出部３３と、延出部３３の先端部から折り返されて延出部３３と並んで配置されている折り返し部３４と、を含む一繋がりの折り曲げ形状に形成されている。延出部３３と折り返し部３４とのうち折り返し部３４にのみ毛４０が設けられている。すなわち、毛４０は、延出部３３と折り返し部３４とのうち折り返し部３４に選択的に設けられている。そして、毛４０のうち、折り返し部３４から延出部３３に向けて延びている毛４０ａは、延出部３３を超えない長さに設定されている。
このように、折り返し部３４が延出部３３に対して折り返された状態となっており、芯材３０において延出部３３と折り返し部３４とを含む部分は、折り曲げ形状（折り返し形状）となっている。なお、折り返し部３４を基準としたときには、延出部３３は折り返し部３４の先端部から折り返されて折り返し部３４と並んで配置されている。
ブラシ部２０の作製に際しては、延出部３３を固定した状態で折り返し部３４を延出部３３に対して相対的に移動させることで折り返し部３４を延出部３３に対して折り返しても良いし、折り返し部３４を固定した状態で延出部３３を折り返し部３４に対して相対的に移動させることで延出部３３を折り返し部３４に対して折り返しても良いし、延出部３３と折り返し部３４との双方を他方に対して相対的に移動させることで延出部３３と折り返し部３４とを互いに折り返しても良い。
ここで、ブラシ部２０が柄部１０の延長方向に延出しているとは、ブラシ部２０が柄部１０の長手軸の延長線の方向に延出していることに限らず、柄部１０の長手軸の延長線の方向成分を持つ方向であって当該延長線の方向に対して傾斜する方向に延出していることでもよい。
同様に、延出部３３が柄部１０の延長方向に延出しているとは、延出部３３が柄部１０の長手軸の延長線の方向に延出していることに限らず、柄部１０の長手軸の延長線の方向成分を持つ方向であって当該延長線の方向に対して傾斜する方向に延出していることでもよい。
また、毛４０が芯材３０の周囲に突出しているとは、毛４０が、芯材３０の径方向成分を持つ方向へ、芯材３０から突出していることである。
【００１６】
本実施形態の場合、塗布ブラシ１００は、いわゆるねじりブラシである。
すなわち、芯材３０は、螺旋状に並進している複数本のワイヤ（例えば第１ワイヤ３１及び第２ワイヤ３２の２本のワイヤ）を含んで構成され、毛４０は、複数本のワイヤどうしの間に挟み込まれている。
芯材３０を構成する複数本のワイヤは、ＳＵＳなどの金属製のワイヤであることが好ましい。
毛４０の材料は特に限定されないが、毛４０は、例えば、熱可塑性樹脂により構成された繊維であることが挙げられる。
【００１７】
第１ワイヤ３１と第２ワイヤ３２との間に複数本の毛４０を含む毛束を挟んだ状態で、第１ワイヤ３１と第２ワイヤ３２とを螺旋状に撚りあわせることによって、１本の芯材３０が構成されている。この１本の芯材３０を図２に示す形状に屈曲させることによって、ブラシ部２０が構成されている。
すなわち、芯材３０は、延出部３３と折り返し部３４とを含む一繋がりの折り曲げ形状に形成されている。
また、延出部３３と折り返し部３４とのうち折り返し部３４にのみ毛４０が設けられている。より詳細には、芯材３０において後述する第２直線部３４ａとなる部位の全域に亘って均一に毛４０が設けられている。
なお、芯材３０に設けられた複数の毛４０の集合体を、毛集合体４１と称する。
【００１８】
本実施形態の場合、折り返し部３４に設けられている毛４０のうち、折り返し部３４から延出部３３に向けて延びている毛４０ａは、他の向きに延びている毛４０ｂと比べて短い（図１、図２、図４参照）。
これにより、折り返し部３４に設けられている毛４０のうち、折り返し部３４から延出部３３に向けて延びている毛４０ａが、延出部３３を超えない長さに設定された構成が、好適に実現されている。
【００１９】
延出部３３は、直線形状の第１直線部３３ａと、第１直線部３３ａの先端側に位置する屈曲形状の第１屈曲部３３ｂと、を含んでいる。
本実施形態の場合、第１屈曲部３３ｂは、第１直線部３３ａの先端側に連接されている。
また、図２に示すように、延出部３３の基端部は、芯材３０の一端部３０ａである。一端部３０ａは、柄部１０の先端部に埋設固定されている。
【００２０】
また、折り返し部３４は、直線形状の第２直線部３４ａと、第２直線部３４ａの先端側に位置する屈曲形状の第２屈曲部３４ｂと、を含んでいる。第２直線部３４ａは、第１直線部３３ａから離間しているとともに第１直線部３３ａと並んで配置されており、且つ、第２直線部３４ａには毛４０が設けられている。
本実施形態の場合、第２屈曲部３４ｂは、第２直線部３４ａの先端側に連接されている。
なお、毛４０は、例えば、第２直線部３４ａの長手方向全域に亘って均一に配置されている。
ただし、第２屈曲部３４ｂには毛が設けられていない。
【００２１】
本実施形態の場合、芯材３０の先端部３０ｃは、弧状にループしており、第２屈曲部３４ｂと第１屈曲部３３ｂは、同一円弧上に配置されている。また、第２屈曲部３４ｂと第１屈曲部３３ｂとは、それらの先端どうしにて互いに連接されている。
また、第１直線部３３ａと第２直線部３４ａとは、例えば、互いに平行に延在している。
本実施形態の場合、折り返し部３４に設けられている毛４０のうち、折り返し部３４から延出部３３に向けて延びている毛４０ａは、延出部３３に達しない（届かない）長さに設定されている。
【００２２】
折り返し部３４は、更に、第２直線部３４ａの基端側に位置していて第２直線部３４ａに対して傾斜する方向に延在している第３直線部３４ｃと、第３直線部３４ｃの基端側に位置していて第２直線部３４ａ及び第１直線部３３ａに対して平行に延在している第４直線部３４ｄと、を含んでいる。
より詳細には、第３直線部３４ｃは、第２直線部３４ａの基端側に連接されており、第４直線部３４ｄは第３直線部３４ｃの基端側に連接されている。
また、第４直線部３４ｄは、前後方向において、第１直線部３３ａの基端部と隣接して配置されている。なお、第４直線部３４ｄと第１直線部３３ａとは、互いに接していても良いし、互いに非接触であっても良い（それらの間に間隙が存在していても良い）。
第３直線部３４ｃは、先端側に向けて第１直線部３３ａから次第に遠ざかっている。
図２に示すように、第４直線部３４ｄにおける基端側の部分は、芯材３０の他端部３０ｂである。他端部３０ｂは、柄部１０の先端部に埋設固定されている。
なお、芯材３０は、例えば、柄部１０の周面には露出しておらず、柄部１０の先端面である先端１０ａから突出している。
また、第１直線部３３ａ、第２直線部３４ａ及び第４直線部３４ｄは、柄部１０の軸線ＡＸ１に対して平行に配置されている。
【００２３】
柄部１０は、一方向に長尺な棒状体である。
塗布ブラシ１００は、更に、使用者に把持される把持部５０を備えている。
本実施形態の場合、把持部５０は円筒状に形成されている。
柄部１０は、その基端側において把持部５０によって支持されており、柄部１０は把持部５０から突出している。柄部１０は、例えば、円筒状の把持部５０と同軸に配置されている。
【００２４】
より詳細には、塗布ブラシ１００は、例えば、柄部１０を構成する柄部構成部材１１０と、把持部５０を構成する把持部構成部材１５０と、を備えており、これら柄部構成部材１１０と把持部構成部材１５０とが相互に固定されている。
【００２５】
柄部構成部材１１０は、例えば、把持部構成部材１５０に固定されている被固定部１１１と、被固定部１１１の先端側に連接されていて被固定部１１１から先端側に突出している嵌入部１１２と、嵌入部１１２の先端側に連接されている棒状の棒状部１１３と、を備えて構成されている。
被固定部１１１は円筒状に形成されている。嵌入部１１２は被固定部１１１よりも小径の円筒状に形成されている。なお、被固定部１１１の先端は閉塞されていて、嵌入部１１２の基端部は被固定部１１１の先端部に対して周回状に固定されている。また、嵌入部１１２の先端部も閉塞されている。被固定部１１１、嵌入部１１２及び棒状部１１３は互いに同軸に配置されている。
棒状部１１３によって柄部１０が構成されている。
【００２６】
把持部構成部材１５０は、全体が円筒形状に形成されている。すなわち、把持部構成部材１５０は円筒状の筒状部１５１と、筒状部１５１の基端側の端部を閉塞している平板状の閉塞部１５２と、を備えている。
筒状部１５１の内部空間における基端側部分は、柄部構成部材１１０の被固定部１１１が嵌合固定される嵌合凹部１５４を構成している。
筒状部１５１において嵌合凹部１５４の先端側に隣接する部位は、内周面にネジ山が形成された雌ネジ部１５３を構成している。
筒状部１５１の先端部には開口部１５１ａが形成されている。柄部１０（棒状部１１３）は、開口部１５１ａを介して、把持部構成部材１５０の内部から外部に突出している。
柄部構成部材１１０（被固定部１１１、嵌入部１１２、棒状部１１３）は、筒状部１５１と同軸に配置されている。
【００２７】
ここで、ブラシ部２０の総体（延出部３３、折り返し部３４及び毛集合体４１）は、は先基端方向に長尺な棒状に形成されている。
また、上述のように、延出部３３と折り返し部３４とのうち折り返し部３４にのみ毛４０が設けられている（毛集合体４１が設けられている）。したがって、ブラシ部２０の周方向において局部的に毛４０が設けられている。
すなわち、図１及び図２に示すように、ブラシ部２０における前側の部分に毛４０（毛集合体４１）が配置されている。
【００２８】
このように、ブラシ部２０は、当該ブラシ部２０における毛４０（毛集合体４１）の背面側に、棒状の延出部３３が配置された構造となっている。
【００２９】
図１から図３に示すように、塗布ブラシ１００は、更に、ブラシ部２０の周方向において毛４０が設けられている側を示す指標部（例えば面取り形状部６０）を備えている。指標部は、把持部５０において、ブラシ部２０の毛４０が設けられている側に形成されている。すなわち、把持部５０の前部に指標部が形成されている。
図３に示すように、指標部は、把持部５０の外周面（筒状部１５１の外周面）に形成された面取り形状部６０である。面取り形状部６０は、例えば、平面形状の面取り形状部６０である。
面取り形状部６０は、例えば、基端側に向けて幅広となっており、且つ、基端側に向けて円筒状の把持部５０の軸心に近づく方向に傾斜している。
【００３０】
ここで、図４は図１のＡ−Ａ線に沿った矢視断面において、塗布ブラシ１００の各部の外形線の位置関係を示す図である。なお、図１のＡ−Ａ線に沿った矢視断面は、柄部１０の軸線ＡＸ１に対して直交する断面で切断した矢視断面である。
図４には、延出部３３の外形線（模式的に円形で示している）、折り返し部３４の外形線（模式的に円形で示している）、毛集合体４１の外形線、柄部１０の外形線（全体を点線で示している）、及び、把持部５０の外形線（筒状部１５１の外形線）（全体を一点鎖線で示している）を示している。
更に、図４には、柄部１０の軸線ＡＸ１の位置と、軸線ＡＸ１の延長線Ｌ１との位置を示している。
【００３１】
図４に示すように、柄部１０の軸線ＡＸ１の延長線Ｌ１と第１直線部３３ａとの距離Ｄ１が、延長線Ｌ１と第２直線部３４ａとの距離Ｄ２よりも短い。
換言すれば、直線部３３ａは、第２直線部３４ａよりも、延長線Ｌ１の近くに配置されている。
なお、延長線Ｌ１は、第１直線部３３ａと重なっていても良い。すなわち、距離Ｄ１は、ゼロでも良い。
【００３２】
更に、図４に示すように、第１直線部３３ａが柄部１０の延長上に配置されている。すなわち、柄部１０の軸線ＡＸ１の方向に塗布ブラシ１００を見たときに、第１直線部３３ａの全体が柄部１０と重なっている。
【００３３】
なお、図４に示すように、毛集合体４１の外形線は、略Ｄ字形状に形成されている。すなわち、毛集合体４１における延出部３３側の面は、平面状に形成されている。
また、柄部１０の軸線ＡＸ１の方向に塗布ブラシ１００を見たときに、柄部１０、延出部３３、折り返し部３４及び毛４０（毛集合体４１）の全体が把持部５０と重なっている。
【００３４】
塗布ブラシ１００は、以上のように構成されている。
【００３５】
次に、図５を用いて本実施形態に係る塗布用具３００を説明する。
塗布用具３００は、上述した塗布ブラシ１００と、以下に説明する容器２００と、を備えて構成されている。
容器２００は、例えば、容器本体２１０と、しごき部材２２０と、を備えて構成されている。
【００３６】
容器本体２１０の形状は特に限定されないが、例えば、容器本体２１０は、下端が閉塞された筒状の胴部２１１と、胴部２１１よりも小径に形成されていて胴部２１１の上側に配置されている円筒状の口頸部２１３と、口頸部２１３の下端部と胴部２１１の上端部とを相互に接続している環状の肩部２１２と、を備えている。
胴部２１１は、塗布ブラシ１００を用いて頭髪などの塗布対象に塗布される塗布剤２３０を収容している。なお、塗布剤２３０は、例えば、染毛剤である。
更に、胴部２１１は、塗布剤２３０を攪拌するための攪拌球２４０を収容している。
口頸部２１３の少なくとも一部分は、外周面にネジ山が形成された雄ネジ部２１４となっている。雄ネジ部２１４は、把持部５０（把持部構成部材１５０）の雌ネジ部１５３と螺合する部分である。
【００３７】
しごき部材２２０は、エラストマー等の弾性変形容易な材料により構成された部材である。
しごき部材２２０は、円筒状の本体部２２１と、本体部２２１の下端部に形成された円環状の第１係止部２２２と、本体部２２１の上端部に形成された円環状の第２係止部２２３と、を備えている。本体部２２１は、口頸部２１３の内径と同等の外径寸法を有しており、口頸部２１３に挿通されている。
第１係止部２２２及び第２係止部２２３は、口頸部２１３よりも大径に形成されている。
第１係止部２２２は、口頸部２１３を通して胴部２１１内に嵌め込まれている。しごき部材２２０を口頸部２１３から引き抜く方向の力が作用したときには、第１係止部２２２が肩部２１２の内面である被係止部２１２ａに対して係合し、口頸部２１３からのしごき部材２２０の脱落が規制されるようになっている。
また、第２係止部２２３は、口頸部２１３の先端面に対して係止されている。
【００３８】
しごき部材２２０は、更に、塗布剤２３０が付着したブラシ部２０を容器２００から取り出す際にブラシ部２０から余分な塗布剤２３０をしごき取るためのしごき部２２４と、飛散抑止部２２５と、を有している。
しごき部２２４は、例えば、平面視において放射状のスリットが形成された膜体であり、ブラシ部２０及び柄部１０が当該しごき部２２４を通過可能となっている。
しごき部２２４は、本体部２２１の下端部に配置されている。飛散抑止部２２５は、しごき部２２４の上方に配置されている。
飛散抑止部２２５は、例えば、平面視において円形の通過孔が形成された膜体であり、ブラシ部２０及び柄部１０が当該飛散抑止部２２５を通過可能となっている。
【００３９】
把持部５０は、容器２００のキャップとしての機能を兼ねており、保管時等の通常時には、図５に示すように、把持部５０が容器２００の口頸部２１３に装着されている。
把持部５０を口頸部２１３に装着するには、先ず、塗布ブラシ１００のブラシ部２０及び柄部１０を先端側（図５では下端側）から容器２００内に挿入する。すなわち、ブラシ部２０及び柄部１０をしごき部材２２０に挿通（本体部２２１、飛散抑止部２２５、しごき部２２４に挿通）し、更に、ブラシ部２０及び柄部１０を胴部２１１内に挿入する。そして、雌ネジ部１５３と雄ネジ部２１４とを螺合させる。これにより、把持部５０によって口頸部２１３の上端の開口（しごき部材２２０の上端の開口）が閉塞される。
把持部５０が口頸部２１３に装着された状態では、ブラシ部２０が容器２００内の塗布剤２３０に浸漬された状態となるとともに、柄部１０が飛散抑止部２２５及びしごき部２２４を貫通した状態となる。
【００４０】
塗布ブラシ１００を用いて頭髪などの塗布対象に塗布剤２３０を塗布する際には、先ず、雌ネジ部１５３と雄ネジ部２１４との螺合を解除して柄部１０及びブラシ部２０を容器２００から引き抜く。
このとき、柄部１０及びブラシ部２０がしごき部２２４によってしごかれる。
これにより、柄部１０及び延出部３３に付着していた塗布剤２３０は実質的に除去されるとともに、折り返し部３４に設けられた毛集合体４１には適量の塗布剤２３０はが付着した状態となる。
また、しごき部２２４によって毛集合体４１がしごかれる際に塗布剤２３０が容器２００の外部に飛散することが、飛散抑止部２２５によって抑止される。
【００４１】
容器２００から引き抜いた塗布ブラシ１００によって塗布剤２３０を塗布対象に塗布する際には、ブラシ部２０において、毛４０（毛集合体４１）が設けられている折り返し部３４と、毛４０が設けられていない延出部３３とのうち、折り返し部３４が塗布対象側となるようにして把持部５０を把持し、毛集合体４１を塗布対象に当てて、塗布剤２３０を塗布する。
【００４２】
ここで、把持部５０には面取り形状部６０が形成されているため、使用者は、把持部５０を把持することによって、ブラシ部２０の周方向において毛４０（毛集合体４１）が設けられている側を触覚により認識することができる。よって、ブラシ部２０を狙った部位に当てることが容易となる。
これにより、狙った部位に塗布剤２３０を付着させる作業が容易になるとともに、余計な部位に塗布剤２３０を付着させてしまうことを抑制できる。
例えば、把持部５０を把持する手の親指等、いずれかの指の腹を面取り形状部６０に当てて把持部５０を把持することにより、把持部５０を安定的に把持できるとともに、ブラシ部２０の毛４０（毛集合体４１）を容易に塗布対象に向けて、該塗布対象に毛４０を当てることができる。
【００４３】
また、芯材３０は、延出部３３と、延出部３３の先端部から折り返されて延出部３３と並んで配置されている折り返し部３４と、を含む一繋がりの折り曲げ形状に形成されている。すなわち、芯材３０がブラシ部２０の先端部においてループしている。このため、ブラシ部２０の先端部に対して頭髪等の体毛が引っ掛かってしまうことを抑制できる。
【００４４】
また、毛４０（毛集合体４１）の背面側に延出部３３が配置されており、且つ、折り返し部３４から延出部３３に向けて延びている毛４０ａが延出部３３を超えない長さに設定されているため、ブラシ部２０の背面側に対して頭髪が引っ掛かってしまうことを抑制できる。
【００４５】
ここで、図６を参照して、塗布ブラシ１００を用いて頭髪７０の生え際（根元）に塗布剤２３０を塗布する場合について説明する。
塗布剤２３０を塗布するために頭髪７０の根元に毛４０（毛集合体４１）を当てたときに、一部の頭髪７０ａがブラシ部２０の上にのってしまうことがある。この場合も、塗布ブラシ１００を柄部１０の軸心方向（矢印Ａ方向）に引き抜くことにより、頭髪７０ａがブラシ部２０に引っ掛かることなく、スムーズにブラシ部２０を引き抜くことができる。何故なら、毛４０（毛集合体４１）の背面側に延出部３３が配置されており、且つ、折り返し部３４から延出部３３に向けて延びている毛４０ａが延出部３３を超えない長さに設定されているためである。ここで、延出部３３には毛４０が設けられていないため、頭髪７０は延出部３３上でスムーズに滑動することができる。また、ブラシ部２０を柄部１０の軸心方向（矢印Ａ方向）にスムーズに引き抜くことができため、頭髪７０ａの毛先に塗布剤２３０が付着することを抑制できる。よって、塗布剤２３０が付着した頭髪７０ａが顔などに垂れて、顔などが塗布剤２３０で汚れてしまうことを抑制できる。
また、芯材３０には実質的に塗布剤２３０が付着しないので、延出部３３にのった頭髪７０に対する塗布剤２３０の付着を抑制できる。つまり、延出部３３は、頭髪７０をブラシ部２０に対してスムーズに滑らせる機能と、頭髪７０に対する毛４０（毛集合体４１）の接触を規制する機能とを有する。
このように、頭髪７０がブラシ部２０の背面側の延出部３３にのった時でも、頭髪７０において意図しない部分に塗布剤２３０を付着させてしまうことを抑制でき、且つ、顔などの頭髪７０以外の部分を塗布剤２３０によって汚してしまうことも抑制できる。つまり、狙った部位に対して選択的に塗布剤２３０を塗布することが容易となる。
【００４６】
また、図４に示すように、距離Ｄ２が距離Ｄ１よりも長いことにより、毛４０（毛集合体４１）が設けられた折り返し部３４の第２直線部３４ａは、延出部３３の直線部３３ａよりも、柄部１０の延長上から張り出した構造となっている。これにより、毛４０（毛集合体４１）によって容易に塗布剤２３０を塗布対象に塗布できるとともに、延出部３３と塗布対象との干渉を抑制できる。
より詳細には、延出部３３の第１直線部３３ａが柄部１０の延長上に配置されているため、延出部３３と塗布対象との干渉をより好適に抑制できる。
【００４７】
また、折り返し部３４の先端側の部分である第２屈曲部３４ｂには毛４０が設けられていないため、もし手元が狂って第２屈曲部３４ｂが頭皮などの塗布対象からずれた部位に接触した場合でも、当該部位に塗布剤２３０が付着してしまうことを抑制できる。
【００４８】
以上のような第１実施形態によれば、ブラシ部２０は、芯材３０と毛４０とを備え、芯材３０は、延出部３３と、延出部３３の先端部から折り返されて延出部３３と並んで配置されている折り返し部３４と、を含む一繋がりの折り曲げ形状に形成されている。そして、延出部３３と折り返し部３４とのうち折り返し部３４にのみ毛４０が設けられており、折り返し部３４から延出部３３に向けて延びている毛４０ａは延出部３３を超えない長さに設定されている。
これにより、頭髪７０などの体毛が意図せずブラシ部２０に引っ掛かってしまうことを抑制することができ、その結果として、意図しない部位に塗布剤２３０が付着してしまうことも抑制可能である。
【００４９】
〔第２実施形態〕
次に、図７を用いて第２実施形態に係る塗布ブラシ１００について説明する。
本実施形態に係る塗布ブラシ１００は、以下に説明する点で、上記の第１実施形態に係る塗布ブラシ１００と相違しており、その他の点では、上記の第１実施形態に係る塗布ブラシ１００と同様に構成されている。
【００５０】
本実施形態の場合、折り返し部３４は、第２直線部３４ａに対して傾斜している第５直線部３４ｅ（第５直線部）を第２直線部３４ａと第２屈曲部３４ｂとの間に有している。
すなわち、延出部３３は、直線形状の第１直線部３３ａと、第１直線部３３ａの先端側に位置する屈曲形状の第１屈曲部３３ｂと、を含み、折り返し部３４は、第１直線部３３ａから離間しているとともに第１直線部３３ａと並んで配置されている直線形状の第２直線部３４ａと、第２直線部３４ａの先端側に位置していて第２直線部３４ａに対して傾斜している傾斜部（例えば、第５直線部３４ｅ）と、傾斜部３４ａの先端側に位置する屈曲形状の第２屈曲部３４ｂと、を含んでいる。
そして、第２直線部３４ａと傾斜部（第５直線部３４ｅ）とにそれぞれ毛４０が設けられている。
【００５１】
本実施形態の場合、傾斜部は、直線形状の第５直線部３４ｅである。
第５直線部３４ｅの長さは、第２直線部３４ａの長さよりも短い。
第５直線部３４ｅの長さは特に限定されないが、例えば、２ｍｍ以上１０ｍｍ以下とすることができ、好ましくは、例えば５ｍｍ程度とすることができる。
また、第２直線部３４ａの長さは特に限定されないが、例えば、１０ｍｍ以上３０ｍｍ以下とすることができ、好ましくは、例えば、２０ｍｍ程度とすることができる。
第５直線部３４ｅに設けられた毛４０は、当該第５直線部３４ｅの先端側に設けられているものの方が、長さが短くなっている。すなわち、第５直線部３４ｅに設けられた毛４０の長さは、第５直線部３４ｅの先端側に向けて短くなっている。
本実施形態の場合も、第２直線部３４ａと第１直線部３３ａとは互いに平行に延在している。このため、第５直線部３４ｅの軸線ＡＸ３は、第１直線部３３ａの軸線ＡＸ２に対して傾斜している。
軸線ＡＸ２と軸線ＡＸ３とのなす角度αは、例えば、１０度以上２０度以下とすることができ、好ましくは、例えば１５度程度とすることができる。
【００５２】
第２実施形態の場合、折り返し部３４は、第２直線部３４ａに対して傾斜している第５直線部３４ｅを有しており、この第５直線部３４ｅにも毛４０が設けられている。このため、第２直線部３４ａの先端側に位置する第５直線部３４ｅを用いて、細かい部分に対して塗布剤２３０を選択的に塗布することが容易となる。
【００５３】
なお、第２実施形態では、傾斜部が直線形状の第５直線部３４ｅである例を説明したが、傾斜部は、第２屈曲部３４ｂよりも曲率が小さい（第２屈曲部３４ｂよりも曲率半径が大きい）屈曲部であってもよい。
【００５４】
本発明は上述の各実施形態に限定されるものではなく、本発明の目的が達成される限りにおける種々の変形、改良等の態様も含む。
【００５５】
例えば、上記においては、塗布ブラシ１００がねじりブラシである例を説明したが、本発明は、この例に限らず、ブラシ部２０（芯材３０及び毛４０（毛集合体４１））は、エラストマーを材料とする射出成形により一体成形されていてもよい。
【００５６】
また、第１直線部３３ａの代わりに、屈曲した棒状の部分が設けられていてもよい。同様に、第２直線部３４ａの代わりに、屈曲した棒状の部分が設けられていてもよい。
【００５７】
また、折り返し部３４から延出部３３側に延びている毛４０ａは、実質的に存在していなくても良い（毛４０ａの長さは実質的にゼロでも良い）。
【００５８】
また、上記の実施形態は、内容が相反しない範囲で組み合わせることができる。
【００５９】
上記実施形態は、以下の技術思想を包含する。
＜１＞柄部と、前記柄部の先端から当該柄部の延長方向に延出しているブラシ部と、を備える塗布ブラシであって、
前記ブラシ部は、芯材と、前記芯材に支持されていて前記芯材の周囲に突出している毛と、を備え、
前記芯材は、前記柄部から前記延長方向に延出している延出部と、前記延出部の先端部から折り返されて前記延出部と並んで配置されている折り返し部と、を含む一繋がりの折り曲げ形状に形成されており、
前記延出部と前記折り返し部とのうち前記折り返し部にのみ前記毛が設けられており、
前記毛のうち、前記折り返し部から前記延出部に向けて延びている毛は、前記延出部を超えない長さに設定されている塗布ブラシ。
＜２＞前記毛のうち、前記折り返し部から前記延出部に向けて延びている毛は、他の向きに延びている毛と比べて短い＜１＞に記載の塗布ブラシ。
＜３＞前記延出部は、直線形状の第１直線部と、前記第１直線部の先端側に位置する屈曲形状の第１屈曲部と、を含み、
前記折り返し部は、前記第１直線部から離間しているとともに前記第１直線部と並んで配置されており且つ前記毛が設けられている直線形状の第２直線部と、前記第２直線部の先端側に位置する屈曲形状の第２屈曲部と、を含み、
前記柄部の軸線の延長線と前記第１直線部との距離が、前記延長線と前記第２直線部との距離よりも短い＜１＞又は＜２＞に記載の塗布ブラシ。
＜４＞前記第１直線部が前記柄部の延長上に配置されている＜３＞に記載の塗布ブラシ。
＜５＞使用者に把持される把持部と、
前記ブラシ部の周方向において前記毛が設けられている側を示す指標部と、
を備え、
前記指標部は、前記把持部において、前記ブラシ部の前記毛が設けられている側に形成されている＜１＞から＜４＞のいずれか一項に記載の塗布ブラシ。
＜６＞前記把持部は、円筒状に形成されており、
前記指標部は、前記把持部の外周面に形成された面取り形状部である＜５＞に記載の塗布ブラシ。
＜７＞前記延出部は、直線形状の第１直線部と、前記第１直線部の先端側に位置する屈曲形状の第１屈曲部と、を含み、
前記折り返し部は、前記第１直線部から離間しているとともに前記第１直線部と並んで配置されている直線形状の第２直線部と、前記第２直線部の先端側に位置していて前記第２直線部に対して傾斜している傾斜部と、前記傾斜部の先端側に位置する屈曲形状の第２屈曲部と、を含み、
前記第２直線部と前記傾斜部とにそれぞれ前記毛が設けられている＜１＞から＜６＞のいずれか一項に記載の塗布ブラシ。
＜８＞前記折り返し部は、直線形状の第２直線部と、前記第２直線部の先端側に位置する屈曲形状の第２屈曲部と、を含み、
前記第２屈曲部には前記毛が設けられていない＜１＞から＜７＞のいずれか一項に記載の塗布ブラシ。
＜９＞前記芯材は、螺旋状に並進している複数本のワイヤを含んで構成され、
前記毛は、前記複数本のワイヤどうしの間に挟み込まれている＜１＞から＜８＞のいずれか一項に記載の塗布ブラシ。
【符号の説明】
【００６０】
１０  柄部
１０ａ  先端
２０  ブラシ部
３０  芯材
３０ａ  一端部
３０ｂ  他端部
３０ｃ  先端部
３１  第１ワイヤ（ワイヤ）
３２  第２ワイヤ（ワイヤ）
３３  延出部
３３ａ  第１直線部
３３ｂ  第１屈曲部
３４  折り返し部
３４ａ  第２直線部
３４ｂ  第２屈曲部
３４ｃ  第３直線部
３４ｄ  第４直線部
３４ｅ  第５直線部（傾斜部）
４０  毛
４０ａ  折り返し部から延出部に向けて延びている毛
４０ｂ  その他の毛
４１  毛集合体
５０  把持部
６０  面取り形状部（指標部）
７０、７０ａ  頭髪
１００  塗布ブラシ
１１０  柄部構成部材
１１１  被固定部
１１２  嵌入部
１１３  棒状部
１５０  把持部構成部材
１５１  筒状部
１５１ａ  開口部
１５２  閉塞部
１５３  雌ネジ部
１５４  嵌合凹部
２００  容器
２１０  容器本体
２１１  胴部
２１２  肩部
２１２ａ  被係止部
２１３  口頸部
２１４  雄ネジ部
２２０  しごき部材
２２１  本体部
２２２  第１係止部
２２３  第２係止部
２２４  しごき部
２２５  飛散抑止部
２３０  塗布剤
２４０  攪拌球
３００  塗布用具
ＡＸ１  柄部の軸線
ＡＸ２  第１直線部の軸線
ＡＸ３  第５直線部（傾斜部）の軸線
Ｌ１  柄部の軸線の延長線
Ｄ１、Ｄ２  距離
【図１】
2018099208.tif 000003
【図２】
2018099208.tif 000004
【図３】
2018099208.tif 000005
【図４】
2018099208.tif 000006
【図５】
2018099208.tif 000007
【図６】
2018099208.tif 000008
【図７】
2018099208.tif 000009